(57)【要約】【課題】  端子付電線の挿抜が容易な袋状容器を提供すること。【解決手段】  袋状容器１は、端子付電線ＴＷの端子Ｔを収容可能な矩形の収容部２と、収容部２の一端に設けられて対をなし、当該収容部２に対する端子Ｔの挿抜時に端子Ｔの滑りを許容する常閉のリップ３とを一体に有している。上記袋状容器１によれば、端子Ｔの滑りを許容するリップ３が収容部２と一体に設けられているので、スタビライザＴ２等の起伏部分が引っかかることなく、収容部２に対して端子Ｔを挿抜することができる。【選択図】      図１
2005255182.tif 000002
【特許請求の範囲】
【請求項１】
端子付電線の端子を収容可能な矩形の収容部と、
収容部の一端に設けられて対をなし、当該収容部に対する端子の挿抜時に端子の滑りを許容する常閉のリップとを一体に有していることを特徴とする袋状容器。
【請求項２】
端子付電線の端子を収容可能な矩形の収容部と、
収容部の一端に設けられて対をなし、当該収容部に対する端子の挿抜時に端子の滑りを許容する常閉のリップとを有し、
上記収容部は、二つ折りにされた可撓性の低い硬質シートと、この硬質シートの少なくとも内面を被覆することにより、端子を直接ラップする可撓性の高い軟質シートとを含む２層構造であることを特徴とする袋状容器。
【発明の詳細な説明】
【技術分野】
【０００１】
本発明は、端子付電線の端子を収容可能な袋状容器に関するものである。
【背景技術】
【０００２】
一般にワイヤーハーネスを製造する過程において、コネクタ接続用の端子が端末に接続された端子付電線を取り扱う必要がある。この端子付電線は、例えば組立図板と呼称される作業台の上で配索される他、在庫部品として、ストック台にストックされている。
【０００３】
端子付電線の端子は、バレルやスタビライザ等を有する起伏した外形であり、引っかかりや欠損が生じやすい。そのため、この端子付電線の端子を保護するために、従来から様々の方法が提案されてきた。
【０００４】
例えば、端子付電線を束ねて、その端末部分をコップ状の保護材で保護する技術が公知である。しかし、コップ状の保護材では、かさばりすぎて、端子付電線の取扱いが困難になる。そこで、可撓性部材を用いた袋状容器（例えば、特許文献１又は２）での保護も検討されている。
【特許文献１】特開平８−７２９０２号公報
【特許文献２】登録実用新案第３０９１７６７号公報
【発明の開示】
【発明が解決しようとする課題】
【０００５】
しかしながら、上記特許文献１及び２の袋状容器では、何れも開口部が素材のエッジで形成されているので、端子付電線を挿入する際、スタビライザやバレル等の起伏部分が開口部に引っかかり易くなり、作業性が著しく困難になるという問題があった。
【０００６】
本発明は、上記課題に鑑みてなされたものであり、端子付電線の挿抜が容易な袋状容器を提供することを課題としている。
【課題を解決するための手段】
【０００７】
上記課題を解決するために本発明は、端子付電線の端子を収容可能な矩形の収容部と、収容部の一端に設けられて対をなし、当該収容部に対する端子の挿抜時に端子の滑りを許容する常閉のリップとを一体に有していることを特徴とする袋状容器である。
【０００８】
また、本発明は、端子付電線の端子を収容可能な矩形の収容部と、収容部の一端に設けられて対をなし、当該収容部に対する端子の挿抜時に端子の滑りを許容する常閉のリップとを有し、上記収容部は、二つ折りにされた可撓性の低い硬質シートと、この硬質シートの少なくとも内面を被覆することにより、端子を直接ラップする可撓性の高い軟質シートとを含む２層構造であることを特徴とする袋状容器である。
【発明の効果】
【０００９】
本発明によれば、端子の滑りを許容するリップが収容部と一体に設けられているので、スタビライザやバレル等の起伏部分が引っかかることなく、収容部に対して端子を挿抜することができる。
【００１０】
また、上記リップは、常閉、すなわち、収容部を通常閉じているように構成されているので、端子を挿入した後は、当該端子に接続された電線がリップにより挟持されることになり、端子を収容部へ挿入する作業と当該端子に袋状容器を固定する作業とを同時に行うことができる結果、端子を容易に保護することができる。
【００１１】
収容部が硬質シートと軟質シートとを含む２層構造とされた袋状容器によれば、常閉のリップを備えているため、スタビライザやバレル等の起伏部分が引っかかることなく、収容部に対して端子を挿抜することができるとともに、端子を収容部へ挿入する作業と当該端子に袋状容器を固定する作業とを同時に行うことができる。
【００１２】
さらに、本発明では、収容部内の端子と直接接触する軟質シートの可撓性が高いので、収容部へ収容された際に生じる端子の変形を抑制することができるとともに、軟質シートの外側に配置された硬質シートの可撓性が低いので、収容部外部から異物が接触した場合に、当該接触時に生じる端子の変形を抑制することができる。
【００１３】
なお、可撓性が高いとは、収容部に挿入された端子を挟持する軟質シートが当該端子の外形に沿って撓む程度の可撓性を有していることを意味している一方、可撓性が低いとは、少なくとも軟質シートよりも可撓性が低いことを意味している。
【発明を実施するための最良の形態】
【００１４】
以下、本発明の好ましい実施形態について図面を参照して説明する。
【００１５】
図１は、本発明の実施形態に係る袋状容器の全体構成を示す斜視図である。
【００１６】
図１を参照して、袋状容器１は、矩形の収容部２と、この収容部２の長手方向の一端に設けられて対をなすリップ３とを一体に有している。なお、本実施形態では、収容部２の長手方向においてリップ３が形成されている側を仮に前方として以下説明する。
【００１７】
収容部２は、端子付電線ＴＷの端子Ｔを複数個収容するように所望のサイズに設定されている。端子Ｔは、電線Ｗの軸線方向に沿って延びる端子本体Ｔ１と、この端子本体Ｔ１から側方へ突出するスタビライザＴ２とを有している。
【００１８】
収容部２は、下から順に重ね合わされた４枚の矩形シート４〜７と、これら矩形シート４〜７を幅方向の両縁部２ａに沿って相互に接合する接合部８、９と、各矩形シート５、６間の間隙を後端部で閉塞する閉塞部１０とを備え、これら接合部８、９及び閉塞部１０により矩形シート５と６との間には、前方へ開くとともに閉塞部１０を底部とする収容空間Ｓが区画されている。
【００１９】
上記各矩形シート４〜７は、それぞれ可撓性を有する樹脂シート（塩化ビニル樹脂、ポリエチレン樹脂等からなるシート）により構成されている。また、各矩形シート４、５及び各矩形シート６、７は、それぞれ一枚のシートが湾曲してループ部１１、１２を形成しつつ折り返されたものであり、これらループ部１１、１２が本実施形態におけるリップ３を構成している。
【００２０】
したがって、上記袋状容器１は、収容空間Ｓから外側まで連続するループ部１１、１２によりリップ３が形成されているので、このリップ３は、収容部２に対する端子Ｔの挿抜時に当該端子Ｔの滑りを許容することが可能となる。
【００２１】
また、ループ部１１、１２が収容部２の開口部（前端部）に形成されているとともに、当該ループ部１１、１２には、可撓性シートの剛性によってループ形態を解放しようとする力、すなわち湾曲して対向した矩形シート４と５及び６と７を互いに離間させようとする復元力が生じているので、この復元力により、リップ３は、外力が付与されていない状態で各矩形シート５と６とを密着させ、収容部２を常閉することになる。そのため、図２に示すように端子Ｔを収容空間Ｓ内へ挿入した場合には、当該端子Ｔに接続された電線Ｗがリップ３により挟持され、これによって収容容器１の端子付電線ＴＷからの脱落が防止されることになる。
【００２２】
そして、上記袋状容器１は、短冊状に形成された一枚の可撓性シートＦで形成することができる。
【００２３】
図３の（ａ）を参照して、まず、矢印Ｙ１に示すように、両短辺部Ｆ１を可撓性シートＦ上の長手方向中央位置Ｆ３に配置するとともに、各長辺部Ｆ２を重ね合わせるように、可撓性シートＦを湾曲させる。これにより、図３の（ｂ）に示すように、ループ部１１、１２及び各矩形シート４〜７が形成される。
【００２４】
図３の（ｂ）を参照して、次いで、矢印Ｙ２に示すように、各ループ部１１、１２を重ね合わせるように、各短辺部Ｆ１を内側にして可撓性シートＦを二つ折りにし、各矩形シート４〜７をそれぞれ重ね合わせる。これにより、中央位置Ｆ３に沿って二つ折りにされた稜線部分は、各矩形シート５、６間の間隙をその端部で閉塞する閉塞部１０として機能することになる。
【００２５】
次いで、重ね合わされた各矩形シート４〜７の幅方向の両縁部２ａ（すなわち、折り返す前の長辺部Ｆ２）を熱溶着等によりそれぞれ接合することにより、上記接合部８、９が形成される。これにより、上記中央位置Ｆ３に形成された稜線部分（閉塞部１０）と、接合部８、９とによって、収容空間Ｓが各矩形シート５と６との間に区画される。
【００２６】
なお、上記実施形態では、各短辺部Ｆ１が内側になるように可撓性シートＦを二つ折りにした構成としているが、これに限定されることはなく、各短辺部Ｆ１が外側になるように可撓性シートＦを折り返して、袋状容器１を形成することもできる。このようにすれば、収容空間Ｓ内に挿入された端子Ｔと両短辺部Ｆ１との干渉を避けることができるので、必ずしも両短辺部Ｆ１を可撓性シートＦの中央位置Ｆ３に配置する必要はない。
【００２７】
また、両短辺部Ｆ１を可撓性シートＦの表裏に互い違いに配置して、可撓性シートＦを二つ折りにした袋状容器１とすることも可能である。
【００２８】
さらに、上記実施形態では、可撓性シートＦの稜線部分を閉塞部１０として説明しているが、これに限定されることはなく、湾曲してループ部１１、１２がそれぞれ形成された別々の可撓性シートを、その長手方向の一端部で熱溶着等することにより、閉塞部１０を形成するようにしてもよい。
【００２９】
以上説明したように、上記袋状容器１によれば、端子Ｔの滑りを許容するリップ３が収容部２と一体に設けられているので、スタビライザＴ２等の起伏部分が引っかかることなく、収容部２に対して端子Ｔを挿抜することができる。
【００３０】
また、上記リップ３は、収容部２を通常閉じているように構成されているので、端子Ｔを挿入した後は、当該端子Ｔに接続された電線Ｗがリップ３により挟持されることになり、端子Ｔを収容部２へ挿入する作業と当該端子Ｔに袋状容器１を固定する作業とを同時に行うことができる結果、端子Ｔを容易に保護することができる。
【００３１】
収容部２とリップ３とを一枚の可撓性シートＦで形成した構成によれば、袋状容器１の部品コストを低減させることができる。
【００３２】
なお、上記実施形態では、一枚の可撓性シートＦで袋状容器１を形成した構成としているが、これに代えて、図４に示すように、収容部を２層構造とすることもできる。
【００３３】
この実施形態の袋状容器２０は、二つ折りにされた可撓性の低い硬質シートＫと、この硬質シートＫの内面を被覆することにより、端子を直接ラップする可撓性の高い軟質シートＮとを備えている。
【００３４】
軟質シートＮは、短辺部Ｎ１及び長辺部（図示せず）とを有し、塩化ビニル樹脂等により厚み約０．３ｍｍに形成された短冊状のシートである。軟質シートＮは、上記実施形態の可撓性シートＦと同様に、両短辺部Ｎ１を軟質シートＮ上の長手方向中央位置Ｎ３に配置するとともに、各長辺部を重ね合わせるように湾曲することにより形成されたループ部３１、３２（リップ２３）及び矩形シート２４〜２７と、各ループ部３１、３２を重ね合わせるように各短辺部Ｎ１を内側にして軟質シートＮを二つ折りにすることにより形成された閉塞部３０とを備えている。
【００３５】
硬質シートＫは、ポリプロピレン樹脂等により厚み約０．３ｍｍに形成された短冊状のシートである。硬質シートＫは、上記軟質シートＮの矩形シート２４と２５との間から上記閉塞部３０の内側を経由して、矩形シート２６と２７との間までの範囲で軟質シートＮに沿って二つ折りの形態とされている。
【００３６】
そして、上記のように重ね合わされた各矩形シート２４〜２７及び硬質シートＫの幅方向の両縁部が熱溶着等によりそれぞれ接合されることにより、図略の接合部が形成されている。この接合部と上記閉塞部３０とによって、袋状容器２０には、収容空間Ｓ２が各矩形シート２５と２６との間に区画された収容部２２が形成されている。
【００３７】
上記実施形態の袋状容器２０によれば、上記実施形態と同様に常閉のリップ２３を備えているため、スタビライザＴ２等の起伏部分が引っかかることなく、収容部２２に対して端子Ｔを挿抜することができるとともに、端子Ｔを収容部２２へ挿入する作業と当該端子Ｔに袋状容器２０を固定する作業とを同時に行うことができる。
【００３８】
さらに、上記実施形態では、収容部２２内の端子Ｔと直接接触する軟質シートＮの可撓性が高いので、収容部２２へ収容された際に生じる端子Ｔの変形を抑制することができるとともに、軟質シートＮの外側に配置された硬質シートＫの可撓性が低いので、収容部２２外部から異物が接触した場合に、当該接触時に生じる端子Ｔの変形を抑制することができる。
【００３９】
なお、可撓性が高いとは、収容部２２に挿入された端子Ｔを挟持する軟質シートＮが当該端子Ｔの外形に沿って撓む程度の可撓性を有していることを意味している一方、可撓性が低いとは、少なくとも軟質シートＮよりも可撓性が低いことを意味している。上記実施形態では、塩化ビニル樹脂とポリプロピレン樹脂との物性の違いによって、軟質シートＮの可撓性を硬質シートＫの可撓性よりも高くすることとしているが、例えば、軟質シートＮのシートの厚みを硬質シートＫよりも薄くすることや、軟質シートＮ及び硬質シートＫを何れも塩化ビニル樹脂で形成し、軟質シートＫを構成する塩化ビニル樹脂に硬質シートＫよりも多く可塑剤を添加する等の手段によって、軟質シートＮの可撓性を硬質シートＫの可撓性よりも高くすることも可能である。
【図面の簡単な説明】
【００４０】
【図１】本発明の実施形態に係る袋状容器の全体構成を示す斜視図である。
【図２】図１の袋状容器に端子を挿入した状態を示す斜視図である。
【図３】図１の袋状容器を一枚の可撓性シートから形成するための手順を示す斜視図であり、（ａ）は可撓性シートの両端部を湾曲させた状態、（ｂ）は可撓性シートを二つ折りにした状態をそれぞれ示している。
【図４】本発明の別の実施形態に係る袋状容器の全体構成を示す側面断面図である。
【符号の説明】
【００４１】
１、２０    袋状容器
２、２２    収容部
３、２３    リップ
４〜７、２４〜２７    矩形シート
８、９    接合部
１０、３０    閉塞部
１１、１２、３１、３２    ループ部
Ｆ    可撓性シート
Ｋ    硬質シート
Ｎ    軟質シート
Ｔ    端子
ＴＷ    端子付電線
【図１】
2005255182.tif 000003
【図２】
2005255182.tif 000004
【図３】
2005255182.tif 000005
【図４】
2005255182.tif 000006